(57)【要約】【課題】開封前は、内容物を密封して保存することができ、開封する際に、内容物が、飛び散ってしまうことのない包装袋を提供する。【解決手段】表フィルムと裏フィルムを重ね合わせ、その周端部に天シール部を含むシール部を設けた包装袋であって、天シール部の下方に表フィルムと裏フィルムを重ね合わせた状態で表フィルム側に折り返した折り返し部を設け、折り返し部と天シール部の間に、折り返し部に平行に表フィルムと裏フィルムとを同時に開封する開封予定部を設け、開封予定部と天シール部の間、又は、天シール部、あるいは、開封予定部と天シール部の間と天シール部の表フィルムの表面を、折り返し部より下方の表フィルムの表面に、接着させる。【選択図】図１
2012148791.tif 000002
【特許請求の範囲】
【請求項１】
表フィルムと裏フィルムを重ね合わせ、その周端部に天シール部を含むシール部を設けた包装袋であって、該天シール部の下方に前記表フィルムと裏フィルムを重ね合わせた状態で該表フィルム側に折り返した折り返し部を設け、該折り返し部と前記天シール部の間に、該折り返し部に平行に前記表フィルムと裏フィルムとを同時に開封する開封予定部を設け、該開封予定部と前記天シール部の間、又は、前記天シール部、あるいは、該開封予定部と前記天シール部の間と前記天シール部の前記表フィルムの表面を、前記折り返し部より下方の前記表フィルムの表面に、接着させたことを特徴とする包装袋。
【請求項２】
前記折り返し部と前記開封予定部の間の前記表フィルムと裏フィルムの両側内面に、雄型テープと雌型テープでなる開閉自在なチャックが設けられていることを特徴とする請求項１に記載の包装袋。
【請求項３】
前記開封予定部の左右いずれか、または、左右両側の端部に、ノッチが設けられていることを特徴とする請求項１または２に記載の包装袋。
【請求項４】
前記ノッチが上下に２つ設けられていることを特徴とする請求項３に記載の包装袋。
【発明の詳細な説明】
【技術分野】
【０００１】
本発明は、包装袋に関するものである。
【背景技術】
【０００２】
従来、三方シール袋や四方シール袋、あるいは四方シールされた自立袋（スタンディングパウチ）などの包装袋を側部シール部から引き裂いて開封する際には、側部シール部の開封すべき所定の位置、例えば天シール部より僅かに下の部分に相当する位置に刻設されたＶノッチ、Ｕノッチ、亀の子ノッチ、Ｉノッチなどを開封開始端として容易に開封できるようにした包装袋がある。
【０００３】
また、開封予定線にミシン目などの弱め線を設けることも行われている。その他に、包装袋の側部シール部などに多数の穿孔を設け、多数の穿孔を設けたシール部の任意の端部から容易に開封ができるようにしたものもある。
【０００４】
しかしながら、上述したような従来の易開封手段を有する包装袋であっても、開封する際に、その勢いによって、袋が動いてしまい内容物が、飛び散ってしまうことがあった。
【０００５】
一方、書類などを発送するときに用いる袋体として、開口端部の一方の壁が他方の壁より突出して閉鎖用舌片を形成し、閉鎖用舌片を折り返して、他方の壁の外面に接着させて、閉鎖用舌片全幅にわたる切取手段を設けた閉鎖用舌片付袋体がある（特許文献１、２）。
【０００６】
公知文献を以下に示す。
【先行技術文献】
【特許文献】
【０００７】
【特許文献１】実開平１−８２１４６号公報
【特許文献２】特開平９−９９９５３号公報
【発明の概要】
【発明が解決しようとする課題】
【０００８】
前述したように、従来の易開封手段を有する包装袋では、開封する際に、その勢いによって、包装袋が動いてしまい内容物が、飛び散ってしまうことがあり、また、閉鎖用舌片を設けた袋体では、密封することができない。
【０００９】
本発明は上記した事情に鑑みてなされたもので、開封前は、内容物を密封して保存することができ、開封する際に、内容物が、飛び散ってしまうことのない包装袋を提供することを課題としている。
【課題を解決するための手段】
【００１０】
本発明の請求項１に係る発明は、表フィルムと裏フィルムを重ね合わせ、その周端部に天シール部を含むシール部を設けた包装袋であって、該天シール部の下方に前記表フィルムと裏フィルムを重ね合わせた状態で該表フィルム側に折り返した折り返し部を設け、該折り返し部と前記天シール部の間に、該折り返し部に平行に前記表フィルムと裏フィルムとを同時に開封する開封予定部を設け、該開封予定部と前記天シール部の間、又は、前記天シール部、あるいは、該開封予定部と前記天シール部の間と前記天シール部の前記表フィルムの表面を、前記折り返し部より下方の前記表フィルムの表面に、接着させたことを特徴とする包装袋である。
【００１１】
本発明の包装袋は、以上のような構成であって、開封前は、内容物を密封して保存することができ、包装袋を開封するために、開封予定部を切り裂いても、開封予定部は、折り返し部と前記天シール部の間に、該折り返し部に平行に設けられているので、折り返し部より、天シール部側と反対側に内容物が収納されているので、開封する際に、内容物が飛び散ってしまうことがない。
【００１２】
また、該開封予定部と前記天シール部の間の前記表フィルムの表面を、前記折り返し部より下方の前記表フィルムの表面に、接着させているので、折り返し部が平らに戻ってしまうことがなく、また、開封の時に、容易に開封できる。
【００１３】
本発明の請求項２に係る発明は、前記折り返し部と前記開封予定部の間の前記表フィルムと裏フィルムの両側内面に、雄型テープと雌型テープでなる開閉自在なチャックが設けられていることを特徴とする請求項１に記載の包装袋ある。
【００１４】
本発明の包装袋は、更に、折り返し部と開封予定部の間の表フィルムと裏フィルムの両側内面に、開閉自在なチャックが設けられているので、再封することができ、また、開封するときに、チャックは物理的なコシがあるので、開封しやすい。
【００１５】
本発明の請求項３に係る発明は、前記開封予定部の左右いずれか、または、左右両側の端部に、ノッチが設けられていることを特徴とする請求項１または２に記載の包装袋である。
【００１６】
本発明の包装袋は、また、前記開封予定部の左右いずれか、または、左右両側の端部にノッチが設けられているので、ノッチから容易に、開封予定部を切り裂いて開封することができる。
【００１７】
本発明の請求項４に係る発明は、前記ノッチが上下に２つ設けられていることを特徴とする請求項３に記載の包装袋である。
【００１８】
本発明の包装袋は、また更に、ノッチが上下に２つ設けられているので、２つのノッチの間を摘んで引っ張れば、帯状に開封予定部を容易に切り裂けるので、開封が簡単である。
【発明の効果】
【００１９】
本発明の包装袋は、開封前は、内容物を密封して保存することができ、開封する際に、内容物が、飛び散ってしまうことがない。
【図面の簡単な説明】
【００２０】
【図１】（Ａ）本発明の包装袋の第１の実施形態の折り返す前の状態を模式的に平面で示した説明図である。（Ｂ）本発明の包装袋の第１の実施形態を模式的に平面で示した説明図である。（Ｃ）本発明の包装袋の第１の実施形態の開封予定部を帯状に切り裂いた状態を模式的に平面で示した説明図である。（Ｄ）本発明の包装袋の第１の実施形態の開封予定部を切り裂いて、折り返し部を平らに延ばした状態を模式的に平面で示した説明図である。
【図２】（Ａ）本発明の包装袋の第２の実施形態を模式的に斜視で示した説明図である。（Ｂ）本発明の包装袋の第２の実施形態の開封予定部を帯状に切り裂いている状態を模式的に斜視で示した説明図である。（Ｃ）本発明の包装袋の第１の実施形態の開封予定部を切り裂いて、折り返し部を平らに延ばした状態を模式的に斜視で示した説明図である。
【発明を実施するための形態】
【００２１】
＜第１の実施形態＞
以下、本発明を実施するための第１の実施形態につき説明する。
【００２２】
図１（Ａ）は、本発明の包装袋の第１の実施形態の折り返す前の状態を模式的に平面で示した説明図である。
（Ｂ）は、本発明の包装袋の第１の実施形態を模式的に平面で示した説明図である。
（Ｃ）は、本発明の包装袋の第１の実施形態の開封予定部を帯状に切り裂いた状態を模式的に平面で示した説明図である。
（Ｄ）は、本発明の包装袋の第１の実施形態の開封予定部を切り裂いて、折り返し部を平らに延ばした状態を模式的に平面で示した説明図である。
【００２３】
第１の実施形態の包装袋１００は、図１（Ａ）のような、表フィルム１０１と裏フィルム１０２を重ね合わせ、その周端部に天シール部１と左側部シール部２と右側部シール部３と地シール部４を設けた４方シール包装袋である。
【００２４】
そして、天シール部１の下方に表フィルム１０１と裏フィルム１０２を重ね合わせた状態で表フィルム１０１側に折り返した折り返し部８が設けられている。この折り返し部８と天シール部１との間に、折り返し部８に平行に表フィルム１０１と裏フィルム１０２とを同時に開封する開封予定部５が、２本の切り裂き線５１、５２により、設けられている。
【００２５】
折り返すことによって、図１（Ｂ）のように、表フィルム１０１どうしが折り返し部８を境界として対向していて、開封予定部５と天シール部１の間と天シール部１の表フィルム１０１の表面が、折り返し部８より下方の表フィルム１０１の表面に、接着部９によって接着されている。
【００２６】
そして、折り返し部８と開封予定部５の間の表フィルム１０１と裏フィルム１０２の両側内面それぞれに、線状の突起部が設けられた雄型テープと線状の溝部が設けられた雌型テープでなり、線状の突起部が線状の溝部に嵌合し、あるいは、外れることによって開閉自在なチャック７が設けられている。
【００２７】
本実施形態の包装袋１００を作成するには、まず、表フィルム１０１と裏フィルム１０２を重ね合わせ、図１（Ａ）のように、左側部シール部２と右側部シール部３と天シール部１とを有し、地シール部４が未シールになっている４方シール包装袋を作成する。
【００２８】
左側部シール部２と右側部シール部３をシールするときに、天シール部１の下方の表フィルム１０１と裏フィルム１０２の両フィルムの内面に、それぞれ線状の突起部が設けられた雄型テープと、線状の溝部が設けられた雌型テープとを溶着して、線状の突起部が線状の溝部に嵌合し、あるいは、外れることによって開閉自在なチャック７を設ける。
【００２９】
天シール部１とチャック７の間に、２本の切り裂き線５１、５２からなる開口予定部５を設ける。また、２本の切り裂き線５１、５２の左端には、左側部シール部２にノッチ６１、６２を設ける。
【００３０】
そして、図１（Ｂ）のように、チャック７の下方に折り返し部８を設け、表フィルム１０１と裏フィルム１０２を重ね合わせた状態で表フィルム１０１側に折り返し、開封予定部５と天シール部１の間と天シール部１の表フィルム１０１の表面を、折り返し部８より下方の表フィルム１０１の表面に、接着させて、接着部９を形成する。
【００３１】
以上にようにして、製袋した第１の実施形態の包装袋１００に、内容物を未シールになっている地シール部４より充填し、地シール部４をシールすることによって、内容物充填済みの包装袋１００が得られる。
【００３２】
本実施形態の包装袋１００を作成する他の方法は、まず、表フィルム１０１と裏フィルム１０２を重ね合わせ、左側部シール部２と右側部シール部３と地シール部４を有し天シール部１が未シールになっている４方シール包装袋を作成する。
【００３３】
左側部シール部２と右側部シール部３をシールするときに、天シール部１の下方の表フィルム１０１と裏フィルム１０２の両フィルムの内面に、それぞれ線状の突起部が設けられた雄型テープと、線状の溝部が設けられた雌型テープとを溶着して、線状の突起部が線状の溝部に嵌合し、あるいは、外れることによって開閉自在なチャック７を設ける。
【００３４】
天シール部１とチャック７の間に、２本の切り裂き線５１、５２からなる開口予定部５を設ける。また、２本の切り裂き線５１、５２の左端には、左側部シール部２にノッチ６１、６２を設ける。
【００３５】
以上にようにして、製袋中の第１の実施形態の包装袋１００に、内容物を未シールになっている天シール部１より充填し、天シール部１をシールする。
【００３６】
そして、図１（Ｂ）のように、チャック７の下方に折り返し部８を設け、表フィルム１０１と裏フィルム１０２を重ね合わせた状態で表フィルム１０１側に折り返し、開封予定部５と天シール部１の間と天シール部１の表フィルム１０１の表面を、折り返し部８より下方の表フィルム１０１の表面に、接着させて、接着部９を形成する。これによって、内容物充填済みの包装袋１００が得られる。
【００３７】
この包装袋１００を開封して、内容物を取り出すには、まず、図１（Ｂ）のノッチ６１とノッチ６２の間の左側部シール部２を摘んで持ち上げ、更に、右側部シール部３に引っ張っていくと、２本の切り裂き線５１、５２が引き裂かれて、帯状に切り取られ、開口予定部５が開口されて開封される。
【００３８】
図１（Ｃ）では、包装袋１００の切り裂き線５２と切り裂き線５１の間は、切り取られ取り除かれている。これにより、接着部９を設けた天シール部１や切り裂き線５１と天シール部１の間は、接着されたままであるが、折り返し部８を平らに延ばせるようになるので、切り裂き線５２から折り返し部８の間の部分は、まっすぐに延ばすことができるようになる。
【００３９】
切り裂き線５２から折り返し部８の間の部分は、まっすぐに延ばすと、図１（Ｄ）のように、天シール部１や切り裂き線５１と天シール部１の間は、接着部９により表フィルム１０１に接着されたままであるが、切り裂き線５２が上端に位置して開口部となり、包装袋１００が開口される。
【００４０】
開口部を開き、表フィルム１０１と裏フィルム１０２の左右中央部をそれぞれ持って、表フィルム１０１と裏フィルム１０２が離れるように開くと、チャック７の嵌合していた線状の突起部と線状の溝部とが外れ、内容物が取り出せるようになる。尚、内容物の一部を取り出した後、再封するには、チャック７の線状の突起部を線状の溝部に嵌合させて再封すればよい。
【００４１】
本実施形態の包装袋１００では、ノッチ６１、６２を左側部シール部２にのみ設けたが、右側部シール部３のみにノッチ６１、６２を設けても良いし、また、左側部シール部２と右側部シール部３にそれぞれ設けてもよい。
【００４２】
また、切り裂き線５１、５２は、ハーフカット線などの弱化線で設けてもよいが、特に加工を施さなくても、開封時に切り裂ければよい。チャック７は、折り返し部８より天シール部１側に設けたが、折り返し部８より地シール部４側に設けてもよい。
【００４３】
但し、折り返し部８より天シール部１側に設けた方が、製袋後、未シールの地シール部４より内容物を投入して充填するときに、チャック７が開いてしまうことがなく、また、充填時や充填後に、チャック７の嵌合している線状の突起部と線状の溝部の間に、細かな内容物が入り込みにくくなるので、好ましい。
【００４４】
本実施形態の包装袋１００は以上のように、開封前は、内容物を密封して保存することができ、包装袋１００を開封するために、開封予定部５を切り裂いても、開封予定部５は、折り返し部８と天シール部１の間に折り返し部に平行に設けられていて、内容物は折り返し部８より天シール部１側と反対側の地シール部４側に収納されているので、開封する際に、内容物が飛び散ってしまうことのない。
【００４５】
また、開封予定部５と天シール部１の間の表フィルム１０１の表面を、折り返し部８より下方の表フィルム１０１の表面に、接着させているので、折り返し部８が平らに戻ってしまうことがなく、また、開封の時に、容易に開封できる。
【００４６】
本実施形態の包装袋１００は、更に、折り返し部８と開封予定部５の間の表フィルム１０１と裏フィルム１０２の両側内面に、開閉自在なチャック９が設けられているので、再封することができ、また、開封するときに、チャック９は物理的なコシがあるので、開封しやすい。
【００４７】
本実施形態の包装袋１００、また、前記開封予定部の左右いずれか、または、左右両側の端部にノッチが設けられているので、ノッチから容易に、開封予定部を切り裂いて開封することができる。また更に、ノッチが上下に２つ設けられているので、２つのノッチの間を摘んで引っ張れば、帯状に開封予定部５を容易に切り裂けるので、開封が簡単である。
【００４８】
＜第２の実施形態＞
以下本発明を実施するための第２の実施形態につき説明する。
【００４９】
図２（Ａ）は、本発明の包装袋の第２の実施形態を模式的に斜視で示した説明図である。（Ｂ）は、本発明の包装袋の第２の実施形態の開封予定部を帯状に切り裂いている状態を模式的に斜視で示した説明図である。
（Ｃ）は、本発明の包装袋の第１の実施形態の開封予定部を切り裂いて、折り返し部を平らに延ばした状態を模式的に斜視で示した説明図である。
【００５０】
第２の実施形態の包装袋２００は、図２（Ａ）のように、表フィルム２０１と裏フィルム２０２の左右端の間にそれぞれ内方に折り込んだガゼット部２０３、２０３を設け、上下に天シール部１と地シール部４を設けたガゼット袋である。
【００５１】
かつ、表フィルム２０１と裏フィルム２０２の左右の端縁部をそれぞれ接続するガゼット部２０３、２０３の端縁部とシールしてなる４つの柱シール部２１を設けたガゼット袋
である。尚、本実施形態の包装袋２００のガゼット袋の背シール部は４つの柱シール部２１の内の１つを兼ねている。
【００５２】
そして、天シール部１の下方に設けられた折り返し部８で、表フィルム２０１と裏フィルム２０２およびガゼット部２０３、２０３を重ね合わせた状態で表フィルム２０１側に折り返されている。
【００５３】
この折り返し部８と天シール部１との間に、折り返し部８に平行に表フィルム２０１と裏フィルム２０２およびガゼット部２０３、２０３とを同時に開封する開封予定部５が、２本の切り裂き線５１、５２により、設けられている。また、２本の切り裂き線５１、５２の左端の柱シール部２１には、２つのノッチ６１、６２が設けられている。
【００５４】
折り返すことによって、表フィルム２０１どうしが折り返し部８を境界として対向していて、開封予定部５と天シール部１の間と天シール部１の表フィルム２０１の表面が、折り返し部８より下方の表フィルム２０１の表面に、図示しない接着部によって接着されている。
【００５５】
そして、折り返し部８と開封予定部５の間の表フィルム２０１と裏フィルム２０２の両側内面それぞれに、線状の突起部が設けられた雄型テープと線状の溝部が設けられた雌型テープでなり、線状の突起部が線状の溝部に嵌合し、あるいは、外れることによって開閉自在な（図示しない）チャック７が設けられている。
【００５６】
本実施形態の包装袋２００を作成するには、まず、１枚のフィルムを巻いて重なり合った端縁を合掌シールして筒状にする。この筒状のフィルムを、表フィルム２０１と裏フィルム２０２およびガゼット部２０３、２０３になるように折り込む。
【００５７】
このとき、表フィルム２０１と裏フィルム２０２の両フィルムの内面に、それぞれ線状の突起部が設けられた雄型テープと、線状の溝部が設けられた雌型テープとを溶着して、線状の突起部が線状の溝部に嵌合し、あるいは、外れることによって開閉自在なチャック７を設ける。
【００５８】
そして、表フィルム２０１と裏フィルム２０２の左右の端縁部をそれぞれ接続するガゼット部２０３、２０３の端縁部とシールして４つの柱シール部２１を設ける。この４つの柱シール部２１の内の１つは、先にシールした合掌シール部が兼ねるようにする。柱シール部２１をシールするとき、柱シール部２１に位置するチャック７を融着させつつ押しつぶす。
【００５９】
そして、天シール部１をシールにより設け、天シール部１とチャック７の間に２本の切り裂き線５１、５２からなる開口予定部５を設ける。切り裂き線５１、５２からなる開口予定部５は、ハーフカット線などの弱化線で設けても良いし、未加工のまま、切り裂き線５１、５２からなる開口予定部５としてもよい。また、２本の切り裂き線５１、５２の左端の柱シール部２１にノッチ６１、６２を設ける。
【００６０】
チャック７より、地シール部４側に折り返し部８を設け、表フィルム２０１と裏フィルム２０２およびガゼット部２０３、２０３を重ね合わせた状態で表フィルム２０１側に折り返し、開封予定部５と天シール部１の間と天シール部１の表フィルム２０１の表面を、折り返し部８より下方の表フィルム２０１の表面に、接着させて、接着部（図示せず）を形成する。
【００６１】
以上にようにして、製袋した第２の実施形態の包装袋２００に、内容物を未シールにな
っている地シール部４より充填し、地シール部４をシールすることによって、内容物充填済みの図２（Ａ）の包装袋２００が得られる。
【００６２】
この包装袋２００を開封して、内容物を取り出すには、まず、図２（Ｂ）のように、ノッチ６１とノッチ６２の間の柱シール部２１，２１を摘んで持ち上げ、更に、右側に引っ張っていく。
【００６３】
これによって、２本の切り裂き線５１、５２が引き裂かれて、帯状に切り取られ、開口予定部５が開口されて開封される。
【００６４】
切り裂き線５２から折り返し部８の間の部分を、まっすぐに延ばすと、図２（Ｃ）のように、天シール部１や切り裂き線５１と天シール部１の間は、接着部９により表フィルム２０１に接着されたままであるが、切り裂き線５２が上端に位置して開口部となり、包装袋２００が開口される。
【００６５】
開口部を開き、表フィルム２０１と裏フィルム２０２の左右中央部をそれぞれ持って、表フィルム２０１と裏フィルム２０２が離れるように開くと、チャック７の嵌合していた線状の突起部と線状の溝部とが外れ、内容物が取り出せるようになる。尚、内容物の一部を取り出した後、再封するには、チャック７の線状の突起部を線状の溝部に嵌合させて再封すればよい。
【００６６】
本実施形態の包装袋２００では、ノッチ６１、６２を左側の柱シール部２１にのみ設けたが、右側の柱シール部２１にのみ、ノッチ６１、６２を設けても良いし、また、左側の柱シール部２１と右側の柱シール部２１にそれぞれ設けてもよい。
【００６７】
また、切り裂き線５１、５２は、ハーフカット線などの弱化線で設けてもよいが、特に加工を施さなくても、開封時に切り裂ければよい。チャック７は、折り返し部８より天シール部１側に設けたが、折り返し部８より地シール部４側に設けてもよい。
【００６８】
但し、折り返し部８より天シール部１側に設けた方が、製袋後、未シールの地シール部４より内容物を投入して充填するときに、チャック７が開いてしまうことがなく、また、充填時や充填後に、チャック７の嵌合している線状の突起部と線状の溝部の間に、細かな内容物が入り込みにくくなるので、好ましい。
【００６９】
本実施形態の包装袋２００は以上のように、開封前は、内容物を密封して保存することができ、包装袋２００を開封するために、開封予定部５を切り裂いても、開封予定部５は、折り返し部８と天シール部１の間に折り返し部８に平行に設けられていて、内容物は折り返し部８より天シール部１側と反対側の地シール部４側に収納されているので、開封する際に、内容物が飛び散ってしまうことのない。
【００７０】
また、開封予定部５と天シール部１の間の表フィルム２０１の表面を、折り返し部８より下方の表フィルム２０１の表面に、接着させているので、折り返し部８が平らに戻ってしまうことがなく、また、開封の時に、容易に開封できる。
【００７１】
本実施形態の包装袋２００は、更に、折り返し部８と開封予定部５の間の表フィルム２０１と裏フィルム２０２の両フィルムの内面に、開閉自在なチャック７が設けられているので、再封することができ、また、開封するときに、チャック７は物理的なコシがあるので、開封しやすい。
【００７２】
本実施形態の包装袋２００は、また、開封予定部５の左の端部にノッチ６１、６２が設
けられているので、ノッチ６１、６２から容易に、開封予定部５を切り裂いて開封することができる。また更に、ノッチ６１、６２が上下に２つ設けられているので、２つのノッチ６１、６２の間を摘んで引っ張れば、帯状に開封予定部５を容易に切り裂けるので、開封が簡単である。
【００７３】
本発明の包装袋１００、２００として、４方シール袋とヘムガゼット袋を実施形態として説明したが本発明はこれに限られるものではない。例えば、３方シール袋や背シール袋、あるいはスタンディングパウチや底ガゼット袋でもかまわない。
【００７４】
本発明の包装袋の表フィルム１０１、２０１、裏フィルム１０２、２０２およびガゼット部２０３、２０３を構成するフィルムは、単体フィルムでもかまわないが、基材層とシーラント層からなる、積層フィルムが好ましく用いられる。
【００７５】
基材層としては、プラスチックフィルムが主に用いられる。用いるプラスチックフィルムとしては、ポリエチレン、ポリプロピレンなどのポリオレフィン、ポリエチレンテレフタレート、ポリブチレンテレフタレート、ポリエチレンナフタレートなどのポリエステル、ナイロン−６、ナイロン−６６、ＭＸＤナイロンなどのポリアミド、さらにはこれらの共重合体などが、１軸延伸あるいは２軸延伸のフィルムで使用できる。
【００７６】
これらのプラスチックフィルムには、必要に応じて、公知の可塑剤、酸化防止剤、滑剤、帯電防止剤、紫外線吸収剤などの添加物を加えることができる。
【００７７】
これらのプラスチックフィルムを単層であるいはこれらを組み合わせた多層で基材層として用いることができる。さらに、多層としてこれらプラスチックフィルムに、アルミニウム箔や紙を積層したものを基材層としても良い。また、無機酸化物蒸着層あるいはアルミニウム蒸着層を設けたプラスチックフィルムを用いても良い。
【００７８】
基材層には、切れやすさに方向性のあるプラスチックフィルムを少なくとも１層設けられていることが好ましい。切れやすさに方向性のあるプラスチックフィルムとしては、１軸延伸したプラスチックフィルム、延伸倍率を縦横で異なるように延伸した２軸延伸したプラスチックフィルムがあげられる。
【００７９】
このプラスチックフィルムの切れやすい方向を、天シール部１の方向に合わせて製袋することによって、開口予定部５の切り裂き線５１、５２を引き裂くとき、容易に帯状に引き裂くことができる。
【００８０】
シーラント層には、ポリエチレン、ポリプロピレン、エチレン共重合体、飽和ポリエステルなどの熱溶融性樹脂が使用できる。このシーラント層を、基材層に積層して積層フィルムとし、表フィルム１０１、２０１、裏フィルム１０２、２０２およびガゼット部２０３、２０３を構成するフィルムとすればよい。
【００８１】
実施形態の包装袋１００、２００では、ノッチ６１、６２をＶノッチで設けたが、Ｕノッチ、亀の子ノッチ、Ｉノッチなどにしても一向に構わない。また、シール部に細かい多数のキズや、穿孔を設けてもよく、切り裂き線５１、５２を切り裂くきっかけとなればよい。
【００８２】
接着部９は、熱シールなどで設けてもよいが、接着剤を塗布して接着させ形成するのが容易である。接着剤は、表フィルム１０１、２０１の表面の素材に合わせて種種選択可能であるが、ホットメルト接着剤が好適に使用できる。ホットメルト接着剤は、熱可塑性樹脂からなり、加熱溶融させて塗布して、冷却することによって硬化接着するものであり、
高速での加工が可能であり、本用途として好ましい。
【符号の説明】
【００８３】
１００、２００・・・包装袋
１０１、２０１・・・表フィルム
１０２、２０２・・・裏フィルム
２０３・・・ガゼット部
１・・・天シール部
２・・・左側部シール部
３・・・右側部シール部
２１・・・柱シール部
４・・・地シール部
５・・・開封予定部
５１、５２・・・切り裂き線
６１、６２・・・ノッチ
７・・・チャック
８・・・折り返し部
９・・・接着部
【図１】
2012148791.tif 000003
【図２】
2012148791.tif 000004